(57)【要約】【課題】使用者がかんざしを自分で頭髪の最適な位置に最適な状態で装着できるようにすること【解決手段】頭髪に差し込む細長い差込部１０と、その差込部１０の前端部側に取り付けられた飾り部材２０とを備えたかんざし１である。その差込部１０を、細片状の差込片１１ｂ，１１ｃを設けた差込片部１１と、飾り部材２０を取り付けた支持部材１２と、差込片部１１の基部１１ａと支持部材１２とを連結する連結部材１３とから構成し、その連結部材１３の前端部１３ａと支持部材１２とを、連結部材１３の長手方向に平行な第１の軸１４の周りに相対回動可能に連結し、連結部材１３を長手方向に複数の部分に分割し、その隣接する前端部１３ａと中間部１３ｂおよび中間部１３ｂと後端部１３ｃを、それぞれ差込片１１ｂ，１１ｃの幅方向に平行な第２の軸１７，１８の周りに相対回動可能に連結した。【選択図】        図１
2013070973.tif 000002
【特許請求の範囲】
【請求項１】
頭髪に差し込む細長い差込部と、その差込部の前端部側に取り付けられた飾り部材とを備えたかんざしにおいて、
前記差込部が、細片状の差込片を設けた差込片部と、前記飾り部材を取り付けた支持部材と、前記差込片部の基部と前記支持部材とを連結する連結部材とからなっており、
該連結部材の前端部と前記支持部材とが、前記連結部材の長手方向に平行な第１の軸の周りに相対回動可能に連結され、
前記連結部材が長手方向に複数の部分に分割され、その隣接する各部分が前記差込片の幅方向に平行な第２の軸の周りに相対回動可能に連結されていることを特徴とするかんざし。
【請求項２】
前記差込片が、前記基部から互いに間隔を置いて平行に延びる複数本の差込片に分かれたフォーク状に形成されていることを特徴とする請求項１に記載のかんざし。
【請求項３】
前記連結部材の前端部と前記支持部材とが、それぞれ互いに逆向きのＬ字状に折り曲がり、その互いに背中合わせに対向する部分が、前記第１の軸によって相対回動可能に連結されていることを特徴とする請求項１又は２に記載のかんざし。
【請求項４】
前記連結部材が長手方向に３つの部分に分割され、その互いに隣接する各部分がそれぞれ前記第２の軸によって相対回動可能に連結されていることを特徴とする請求項１から３のいずれか一項に記載のかんざし。
【発明の詳細な説明】
【技術分野】
【０００１】
この発明は、地毛又はかつらによる日本髪や洋髪などの頭髪に装着する髪飾りであるかんざし（簪）に関する。
【背景技術】
【０００２】
婚礼における花嫁の髪型として人気が高い文金高島田などの日本髪（一般にはかつらが使用される）には、前髪とびん（鬢）の間に差し込む前差し、まげ（髷）の下側に差し込む中差し、たぼ（髱）とびん（鬢）の間に差し込む後差し等、華麗な細工が施された各種の飾り部材を取り付けたかんざしが装着される。
それ以外の各種の日本髪あるいは洋髪にも、種々のかんざし（簪）が使用されている。
【０００３】
このようなかんざしは、一般に頭髪へ差し込んで保持させるための細長い差込部と、その前端部側に取り付けられた飾り部材とによって構成されている。
その差込部は、一般に一本又は複数本に分かれた細い棒（ピン）状や細片状などの部材であり、結った髪に差し込んだときの頭髪との摩擦力でかんざしを保持していた。
【０００４】
そして、頭髪に差し込む差込部に飾り部材が固定されているため、それらの相対位置は変わらない。そのため、差込部を差し込んだときにしっかり保持される位置と、飾り部材を付けたい位置とが一致しない場合に調整できず、かんざしを希望どうりの状態に装着するのが難しかった。
【０００５】
そこで、例えば特許文献１に見られるように、差込部（棒状体又は足部材と称している）の前端部（基部）に飾り部材を回転可能に取り付け、頭髪に差込部を差し込んでから、飾り部材の装着角度を調整できるようにしたかんざしが提案されている。
【先行技術文献】
【特許文献】
【０００６】
【特許文献１】特開２００３−９９３５号公報
【発明の概要】
【発明が解決しようとする課題】
【０００７】
しかしながら、この特許文献１に開示されたかんざしは、差込部（棒状体又は足部材）の端部に対する飾り部材の取り付け角度を、その取付面内で調整できるだけであり、飾り部材全体の高さ位置やあおり角度などを任意に調整することはできなかった。
【０００８】
この発明は、上記のような問題を解決するためになされたものであり、かんざしを頭髪へ挿着したときの飾り部材の高さ位置やあおり角度なども調整できるようにし、使用者がかんざしを自分で頭髪の最適な位置に最適な状態で装着できるようにすることを目的とする。
【課題を解決するための手段】
【０００９】
この発明は上記の目的を達成するため、頭髪に差し込む細長い差込部と、その差込部の前端部側に取り付けられた飾り部材とを備えたかんざしにおいて、
上記差込部が、細片状の差込片を設けた差込片部と、上記飾り部材を取り付けた支持部材と、上記差込片部の基部と上記支持部材とを連結する連結部材とからなっており、その連結部材の前端部と上記支持部材とが、連結部材の長手方向に平行な第１の軸の周りに相対回動可能に連結され、上記連結部材が長手方向に複数の部分に分割され、その隣接する各部分が上記差込片の幅方向に平行な第２の軸の周りに相対回動可能に連結されていることを特徴とする。
【００１０】
上記差込片を、上記基部から互いに間隔を置いて平行に延びる複数本の差込片に分かれたフォーク状に形成するとよい。
また、上記連結部材の前端部と上記支持部材とを、それぞれ互いに逆向きのL字状に折り曲げ、その互いに背中合わせに対向する部分を、上記第１の軸によって相対回動可能に連結するとよい。
上記連結部材を長手方向に３つの部分に分割し、その互いに隣接する各部分をそれぞれ上記第２の軸によって相対回動可能に連結するとよい。
【発明の効果】
【００１１】
この発明によるかんざしは、頭髪に挿着する前、あるいは上記差込部を頭髪の任意の箇所に差し込んで保持させた状態で、その差込部の連結部材を上記第２の軸の周りに回動させることによって、その前端部側に取り付けられた飾り部材の高さ位置やあおり角度を調整できる。また、飾り部材をその支持片とともに、連結部材の前端部に対して上記第１の軸の周りに回転させることによって、飾り部材の左右方向の傾き角度を任意に調整することができる。
したがって、使用者がかんざしを自分で頭髪の最適な位置に最適な状態で装着できる。
【図面の簡単な説明】
【００１２】
【図１】この発明によるかんざしの一実施例を示す側面図及び平面図である。
【図２】同じくそのかんざしの連結部材を折り曲げた状態を示す側面図である。
【図３】図２における連結部材の前端部に対する支持部材の回動を説明するための部分的な斜視図ある。
【図４】日本髪かつらにこの発明によるかんざしを挿着した状態の一例を示す斜視図である。
【発明を実施するための形態】
【００１３】
以下、この発明を実施するための形態を図面に基づいて具体的に説明する。
図１はこの発明によるかんざしの一実施例を示す図であり、（Ａ）は側面図、（Ｂ）は飾り部材を簡略化して仮想線で示す平面図である。図２は同じくそのかんざしの連結部材を折り曲げた状態を示す側面図、図３はその連結部材の後端部に対する回動を説明するため部分的な斜視図ある。
【００１４】
このかんざし１は図１に示すように、頭髪に差し込む細長い差込部１０と、その差込部１０の前端部側に取り付けられた飾り部材２０とを備えている。
差込部１０は、細片状の差込片１１ｂ，１１ｃを設けた差込片部１１と、飾り部材２０を取り付けた支持部材１２と、差込片部１１の基部１１ａと支持部材１２とを連結するアーム状の連結部材１３とからなっている。
【００１５】
この実施例における差込片部１１は、図１の（Ｂ）に明示するように、基部１１ａが一体で互いに間隔を置いて平行に延びる２本の細片状の差込片１１ｂ，１１ｃに分かれたフォーク状に形成されている。そして、一方の差込片１１ｂが基部１１ａから真直ぐに延び、他方の差込片１１ｃが基部１１ａから斜め側方に延びた後、屈曲して差込片１１ｂと平行にそれよりも長く延びている。
【００１６】
しかし、差込片１１ｂ，１１ｃの長さを同じにするか、あるいは長短の関係を逆にしてもよい。各差込片１１ｂ，１１ｃは、例えば幅２〜３ｍｍ、厚さ１〜１．５ｍｍ程度の金属材で多少弾性を有するように形成し、図の（Ａ）に示すように頭の形状に倣うように幾分湾曲させるとよい。
【００１７】
また、差込片を３本以上設けてもよく、基部が一体で互いに間隔を置いて平行に延びる複数本の差込片に分かれていれば、頭髪に差し込んだときの保持の安定性がよくなる。
あるいは、差込片部が基部から一本の細片状の差込片が延びているだけでもよい。その場合は、その差込片の幅を差込片１１ｂ，１１ｃよりも広く（例えば２倍以上に）すれば、頭髪に差し込んだときの安定性がよくなる。
【００１８】
この差込部１０において、連結部材１３の前端部１３ａと支持部材１２とが、連結部材１３の長手方向に平行な第１の軸１４の周りに矢示Ａで示すように相対回動可能に連結されている。その連結部材１３は長手方向に複数の部分に分割され、この例では、上述した前端部１３ａとロッド状の中間部１３ｂと差込片部１１の基部１１ａに固着された後端部１３ｃとの３つの部分に分割されている。
【００１９】
そして、ロッド状の中間部１３ｂの両端部には、それぞれその各端部を挟んで長手方向に延びる一対ずつの軸支持片１５，１６が溶接等によって固着されている。この軸支持片１５，１６は中間部１３ｂに一体に形成してもよい。
中間部１３ｂの前端側に固着された一対の軸支持片１５，１５の間に、幅方向が９０°ねじれてＬ字状に形成された細板状の後端部１３ａの幅方向を縦にして水平に延びる部分１３ａ１を挿入し、これらを貫通する第２の軸１７を軸支持片１５，１５に固着している。
【００２０】
第２の軸１７は、差込片部１１の差込片１１ｂ，１１ｃの幅方向（差込片１１ｂ，１１ｃが平行に並ぶ方向）に平行な軸であり、連結部材１３の中間部１３ｂと前端部１３ａは、このようにして第２の軸１７の周りに矢示Ｂで示すように相対回動可能に連結されている。
【００２１】
中間部１３ｂの後端側に固着された一対の軸支持片１６，１６の間に、差込片部１１の基部１１ａに固着された細板状の後端部１３ｃを挿入し、これらを貫通する第２の軸１８を軸支持片１６，１６に固着している。
この第２の軸１８も、差込片部１１の差込片１１ｂ，１１ｃの幅方向（差込片１１ｂ，１１ｃが平行に並ぶ方向）に平行な軸であり、連結部材１３の中間部１３ｂと後端部１３ｃは、このようにして第２の軸１８の周りに矢示Ｃで示すように相対回動可能に連結されている
【００２２】
支持部材１２は図１の（Ａ）に示すように、連結部材１３の前端部１３ａとは逆向きのL字状に折り曲げられた細板状の部材であり、その互いに背中合わせに対向する部分１３ａ２と１２ａとを、第１の軸１４によって相対回動可能に連結するとよい。
連結部材１３におけるこれらの回動可能な各連結部は、いずれも連結した各部が相対回動されたときにその回動位置を保持できるように、相対回動可能な部材間に適度な摩擦力を有するようにしている。そのため、第１の軸１４及び第２の軸１７，１８としてネジを使用して、最適な摩擦力となるように締め付けた状態で固定するとよい。
【００２３】
支持部材１２の第１の軸１４に平行な方向に延びる部分の上面側に、上片が幾分短い横向きＵ字状の基台部２２が、ネジ１９等によって固着されている。その基台部２２上に主飾り部材２１が一体に設けられている。基台部２２をこのような形状にすることによって、連結部材１３と主飾り部材２１との間に適度な弾性が得られる。
【００２４】
このかんざし１の差込部１０は、差込片部１１と支持部材１２と連結部材１３をいずれも真鍮やステンレス等の金属で形成し、美観を高めるために金メッキなどのメッキを施したり、飾り部材２０あるいは頭髪と似た色などの塗装を施したりするとよい。
飾り部材２０の主飾り部材２１と基台部２２は、べっ甲、珊瑚、貴金属、工芸用木材などで形成し、主飾り部材２１にはさらに宝石や真珠、造花等による装飾を施してもよい。また、下方へ吊り下げる各種の下げ飾りを取り付けてもよい。
【００２５】
このかんざし１を使用者の頭髪又はかつらに挿着する際には、例えば図２に示すように、差込部１０のアーム状の連結部材１３の各部を適宜に相対回動させて曲げることができる。
図２に示す例は、後端部１３ｃに対して中間部１３ｂを、第２の軸１８の周りに矢示Ｄ方向へ約３０°回動させ、中間部１３ｂに対して前端部１３ａを、第２の軸１７の周りに矢示Ｅ方向へ約９０°回動させた状態を示している。
【００２６】
この後端部１３ｃに対する中間部１３ｂの回動によって、主に差込片部１１に対する飾り部材２０の高さ位置を調節することができる。また、中間部１３ｂに対する前端部１３ａの回動によって、主に飾り部材２０のあおり角度を調整できる。
さらに、図３にも示すように、連結部材１３の前端部１３ａに対して支持部材１２を飾り部材２０の基台部２２と共に、第１の軸１４の周りに矢示Ａで示すように３６０°回転させることができる。回転方向は時計回りでも反時計回りでもよい。
【００２７】
図３は、連結部材１３の前端部１３ａに対して支持部材１２を差し込み側から見て時計回りに９０°回転させた状態を、主飾り部材２１の図示を省略して示している。
この調整によって、飾り部材２０を正面から見たときの左右方向への傾き角度を任意に調整することができる。したがって、好みに応じて飾り部材２０を好きな位置に回転させて髪に装着することができる。
【００２８】
このような種々の調整は、このかんざし１の差込部１０を頭髪（かつらも含む）へ差し込んで、かんざし１を髪に保持させた後でも任意に行うことができる。その調整操作は極めて簡単であり、使用者が自分でも容易に調整することができる。
【００２９】
図４は、このようにして、日本髪（高島田）かつら２にこの発明によるかんざし１を挿着した状態の一例を、斜め前方から見た図である。この日本髪かつら２は、前髪２ａ、鬢２ｂ、髷２ｃ及び後ろ側の髱（図４では見えない）らなり、前髪２ａと髷２ｃとの間に装飾用の櫛３を差している。そして、その櫛３の左右両側近くで前髪２ａと鬢２ｂの間の位置に、前差しとして、この発明によるかんざし１を挿着している。
そして、そのかんざし１の飾り部材２０の高さ位置やあおり角度、および左右方向の傾き角度などを、好みに合わせて任意に調整することができる。
【００３０】
この発明によるかんざしは、日本髪の鬢と髱の間の上部に挿着する後差しとしても使用することができる。また、高島田以外の各種の日本髪（かつらを含む）あるいは洋髪のかんざしとしても使用できる。
【００３１】
上述した実施例では、差込部１０の連結部材１３が長手方向に３つの部分に分割され、その隣接する各部分（２箇所）が差込片１１ｂ，１１ｃの幅方向に平行な第２の軸１７，１８の周りにそれぞれ相対回動可能に連結されている。しかし、これに限るものではなく、連結部材を長手方向に２つの部分に分割し、その隣接する各部分（１箇所）を差込片の幅方向に平行な第２の軸の周り相対回動可能に連結してもよい。
あるいは、連結部材を長手方向に４つ以上の部分に分割し、その隣接する各部分（３箇所以上）をそれぞれ差込片の幅方向に平行な第２の軸の周り相対回動可能に連結してもよい。
【００３２】
また、差込部１０を構成する差込片部１１と支持部材１２及び連結部材１３の長さや形状、その連結部材１３を構成する各部の長さや形状、差込片部１１の差込片の数やその各長さと幅及び厚さ等は、かんざしの用途や種類などに応じて適宜変更すればよい。
飾り部材２０の形状や大きさ、色や材質なども用途に応じて種々変更すればよい。
【産業上の利用可能性】
【００３３】
この発明によるかんざしは、日本髪（かつらを含む）の前差しかんざしに最適であるが、飾り部材の形状や取り付け位置などを工夫すれば、後差しや中差しにも利用可能である。また、洋髪用のかんざしにも利用可能である。
【符号の説明】
【００３４】
１：かんざし      ２：日本髪かつら      ２ａ：前髪      ２ｂ：鬢３
２ｃ：髷      ３：櫛      １０：差込部      １１：差込片部      １１ａ：基部
１１ｂ，１１ｃ：差込片      １２：支持部材      １３：連結部材      
１３ａ：前端部      １３ｂ：中間部      １３ｃ：後端部      １４：第１の軸
１５，１６：軸支持片      １７，１８：第２の軸      １９：ネジ
２０：飾り部材      ２１：主飾り部材      ２２：基台部      
【図１】
2013070973.tif 000003
【図２】
2013070973.tif 000004
【図３】
2013070973.tif 000005
【図４】
2013070973.tif 000006